(57)【特許請求の範囲】
【請求項１】
異なる波長を各々が有する複数のスペクトラム成分を有する第１の波長分割多重化（ＷＤＭ）信号からスペクトラム成分をドロップするよう動作する装置であって、前記装置は、
スペクトラム成分セパレータを含み、前記スペクトラム成分セパレータは、
前記スペクトラム成分セパレータの第１の側に第１のポートを含み、前記第１のＷＤＭ信号が、前記第１の側で受信され前記スペクトラム成分セパレータで複数のスペクトラム成分へデマルチプレクスされるものであり、さらに、
前記第１の側の第２のポートと、
前記スペクトラム成分セパレータの第２の側に第３のポートの集合とを含み、前記第３のポートへ前記複数のスペクトラム成分が伝達されるものであり、さらに、
前記第２の側に第４のポートの集合を有し、前記第４のポートで受信された前記スペクトラム成分が、前記スペクトラム成分セパレータで第２のＷＤＭ信号にマルチプレクスされ前記第２のポートへ伝達されるものであり、前記装置はさらに、
前記スペクトラム成分セパレータと光学的に接続する複数の光学スイッチを含み、前記複数の光学スイッチの各々は、
前記第３のポートと光学的に接続する第１の入力と、
前記第４のポートと光学的に接続する第１の出力とを有し、
第１の状態においては、前記第３のポートの１つから前記第１の入力で受信したスペクトラム成分を前記第１の出力へ伝達し、そして、
第２の状態においては、前記第３のポートの１つから前記第１の入力で受信したスペクトラム成分を前記第１の出力へは伝達せず、ドロップ装置に経路指定してそこでこれをドロップすることを特徴とする装置。
【請求項２】
請求項１に記載の装置であって、スペクトラム成分を前記第２のＷＤＭ信号へ追加する手段をさらに含むことを特徴とする装置。
【請求項３】
請求項２に記載の装置において、前記光学スイッチは１×１スイッチであることを特徴とする装置。
【請求項４】
請求項３に記載の装置であって、
前記光学スイッチが前記第２の状態であるときには、前記光学スイッチの前記第１の入力で受信された前記スペクトラム成分を、これと光学的に接続されたスペクトラム成分セパレータの前記第３のポートへ戻し、そして
前記第３のポートは、前記戻されたスペクトラム成分を前記スペクトラム成分セパレータの前記第１の側の前記第１のポートへ伝達するよう動作するものであり、前記装置は、
第１のポートと第２のポートと第３のポートとを有する第１の光学サーキュレータをさらに含み、
前記第１のポートで受信した光信号は前記第２のポートに進み、前記第２のポートで受信した光信号は前記第３のポートに進み、
前記第１のポートは前記第１のＷＤＭ信号を受信し、
前記第２のポートは、前記スペクトラム成分セパレータの前記第１のポートと光学的に接続し、そして、
前記第３のポートはドロップラインと光学的に接続しており、前記装置は、
第４のポートと第５のポートと第６のポートとを有する第２の光学サーキュレータをさらに含み、
前記第４のポートで受信した光信号は前記第５のポートに進み、前記第５のポートで受信した光信号は前記第６のポートに進み、
前記第４のポートは、前記第２のＷＤＭ信号に追加されるべきスペクトラム成分を受信し、
前記第５のポートは、前記スペクトラム成分セパレータの前記第２のポートと光学的に接続し、そして、
前記第６のポートは出力ラインと光学的に接続していることを特徴とする装置。
【請求項５】
請求項２に記載の装置において、前記光学スイッチは２×２スイッチであり、前記２×２スイッチは、第２の出力と第２の入力をさらに含むことを特徴とする装置。
【請求項６】
請求項５に記載の装置において、
前記光学スイッチは、前記第２の状態において、前記第１の入力で受信したスペクトラム成分を前記第２の出力へ経路指定するよう動作し、
前記第２の出力はドロップラインと光学的に接続し、前記第２の出力と前記ドロップラインは前記ドロップ装置を含み、
前記第２の入力は追加ラインと光学的に接続し、そして、
前記光学スイッチは、前記第２の状態において、前記第２の入力へ追加されるべき前記スペクトラム成分を受信して、これを前記第１の出力へ経路指定するよう動作し、前記第２の入力と前記追加ラインは、スペクトラム成分を追加する前記手段を含むことを特徴とする装置。
【請求項７】
請求項１に記載の装置において、前記光学スイッチは、一定反射率デバイスに結合されたマイクロエレクトロメカニカルアクチュエータを有することを特徴とする装置。
【請求項８】
異なる波長を有する第１の複数のスペクトラム成分を有する第１の波長分割多重化（ＷＤＭ）信号からスペクトラム成分をドロップするよう動作する装置であって、前記装置は、
光学的に直列に結合した複数の２×２光学スイッチを有し、前記２×２光学スイッチの各々は、
第１の入力と第２の入力と、
第１の出力と第２の出力とを有し、
前記光学スイッチのうちの第１の光学スイッチの前記第１の出力又は前記第２の出力のうちのいずれか１つは、隣接する２×２光学スイッチの前記第１の入力及び前記第２の入力のうちの１つと光学的に接続しており、さらに、
前記第１の出力又は前記第２の出力のいずれかへスペクトラム成分を向けるよう動作する光学ディレクタを有し、
第１の状態において、前記光学ディレクタは、スペクトラム成分に対して不可視であり、そして、
第２の状態において、前記光学ディレクタは、これに入射したスペクトラム成分を反射するものであり、
第２の状態において、前記光学ディレクタが、前記第１の入力と前記第１の出力の間及び前記第１の出力と前記第２の出力との間に配置されており、そして前記装置は、
選択したスペクトラム成分を送信し他のスペクトラム成分を反射するよう動作する波長選択性フィルタを含むスペクトラム成分セパレータを有し、
前記波長選択性フィルタが、前記第１の入力と前記第１の出力との間及び前記第１の出力と前記第２の出力との間に配置され、そして、
前記スペクトラム成分が、前記光学ディレクタの前に、前記波長選択性フィルタ上に入射することを特徴とする装置。
【請求項９】
請求項８に記載の装置において、前記波長選択性フィルタを介して送信された前記選択されたスペクトラム成分が前記第１の出力へ向けられ、前記第１の出力がドロップラインへ光学的に結合されていることを特徴とする装置。
【請求項１０】
請求項９に記載の装置において、前記第２の入力が追加ラインへ光学的に結合されていることを特徴とする装置。
【請求項１１】
請求項１０に記載の装置において、前記波長選択性フィルタはＧＲＩＮレンズの一端に配置された誘電体性の表面コーティングであることを特徴とする装置。
【請求項１２】
請求項１０に記載の装置において、前記第１の２×２光学スイッチを前記隣接する２×２光学スイッチへ結合する導波路をさらに含むことを特徴とする装置。
【請求項１３】
請求項１０に記載の装置において、前記第１の２×２光学スイッチは、前記隣接する２×２光学スイッチへ結合する自由空間であることを特徴とする装置。
【発明の詳細な説明】
【０００１】
【発明の属する技術分野】
本発明は光学通信ネットワークに関し、特に多重化光信号にスペクトラム成分を加えたり、多重化光信号からスペクトラム成分を取り出したりする装置（システム）に関する。
【０００２】
【従来の技術】
波長分割多重化（ＷＤＭ）光通信ネットワークは、多くの異なるスペクトラム成分（即ち波長）を有する多重化光信号を搬送している。各波長はチャネルと称し独立したデータストリームを表す。ネットワーク内のノードでＷＤＭ信号を処理する前に、ＷＤＭ信号から１つあるいは複数のスペクトラム成分を取り除い（ドロップし）たりあるいは加えたりしている。
【０００３】
ＷＤＭ通信ネットワークは何年にも亘って理論的に研究されているが、このようなネットワークが市場で実現されることは少ない。このためＷＤＭ信号へスペクトラム成分を追加(add)したりあるいは取り出したり（drop:取り除いたり）できるデバイスが必要とされることは従来認識されていたが、このようなデバイスは余り文献には記載されていなかった。
【０００４】
【発明が解決しようとする課題】
したがって本発明の目的は、伝送形態が独立し頑強かつ高速で低価格の波長分割多重化光通信ネットワークに使用されるデバイスを提供することである。
【０００５】
【課題を解決するための手段】
本発明の波長選択性の追加ードロップマルチプレクサ（wavelength-selective add-drop multiplexer −ＷＳＡＤＭ）は、波長分割多重化光学信号にスペクトラム成分を追加しおよび／または取り出すことができる。（１×１）または（２×２）の光スイッチを単独あるいは他の光学スイッチと共に用いて、ドロップすると識別されたスペクトラム成分を他のスペクトラム成分から分離する。
【０００６】
各（１×１）スイッチは、マイクロ電子機械アクチュエータを有し、これを用いて反射素子をスイッチ内を通過するスペクトラム成分のパス内に配置したりあるいはパスから外したりする。反射素子が光学パス内にある場合には、スペクトラム成分は、そこで反射されスイッチ内を通らない。一方、反射素子が光学パスから外れている場合には、スペクトラム成分はスイッチ内を通過する。各（２×２）スイッチは、第１実施例では可変反射率デバイスである光学ディレクタを有し、第２実施例においては、マイクロ電子機械アクチュエータにより駆動される一定反射率デバイスである光学変調器を含む。
【０００７】
本発明の一実施例によるＷＳＡＤＭは、切り換え選択の機能を有するものとしてさまざまな方法で実現できる。本発明の第１グループの実施例においては、ＷＳＡＤＭは、主要な部分に例えば導波路グレーティングルータのような１つあるいは２個のディマルチプレクサ／マルチプレクサとスイッチとを有する。このディマルチプレクサを用いてＷＤＭ信号をその構成要素であるスペクトラム成分に分離する。
【０００８】
スイッチを用いてドロップ用のスペクトラム成分を必要によって適宜切り換えたりする。この分離されたスペクトラム成分は、その後導波路グレーティングルータ内を後方に伝播して再度多重化される。ある実施例においては、（１×１）スイッチをＷＳＡＤＭ内で用い、このスイッチは光学サーキュレータ等と組み合わせて使用される。（２×２）スイッチが用いられる他の実施例においては、このような光学サーキュレータは必要ではない。
【０００９】
第２グループの実施例においては、ＷＳＡＤＭは（２×２）スイッチのカスケードとして構成される。このスイッチは、複数の誘電体層のような波長フィルタ素子を有し、ＷＤＭ信号を含むさまざまなスペクトラム成分を選択的に反射したり透過したりする。かくしてＷＤＭ信号が一連のスイッチを通過する際に、選択されたスペクトラム成分は信号をディマルチプレクシングする必要なくドロップ用に分離できる。
【００１０】
【発明の実施の形態】
本発明の一実施例は、光波システムで使用される波長選択性追加−ドロップマルチプレクサ（ＷＳＡＤＭ）を示す。このＷＳＡＤＭの機能を図１に示す。ＷＳＡＤＭは、λ1−λNのＮ個のスペクトラム成分（即ち波長）を有するＷＤＭ信号２を受信する。そのＮ個のスペクトラム成分の各々は、独立したデータストリームでＷＤＭ信号２のＮ本のチャネルを規定する。
【００１１】
ＷＳＡＤＭはこの複数のスペクトラム成分から第１の選択されたスペクトラム成分λ1 を除去（即ちドロップ）するよう機能する。ＷＳＡＤＭ１は、さらに第２の選択されたスペクトラム成分λN+1 をこの複数のスペクトラム成分に追加するよう動作する。第１スペクトラム成分（λ1） がドロップされる場合には、第２スペクトラム成分（λN+1） は、このドロップされたスペクトラム成分を置換するために加えられる。
【００１２】
第２スペクトラム成分は、第１スペクトラム成分がドロップされたチャネルに加えられる。言い換えると追加されるスペクトラム成分とドロップされるスペクトラム成分は、同一の波長を有する。即ち両方のスペクトラム成分の波長は、あるチャネルに規定された波長のバンド即ち範囲内にある。ドロップされた第１のスペクトラム成分と追加された第２のスペクトラム成分は、通常異なる情報を搬送する。
【００１３】
スペクトラム成分λN+1 が、多重化信号２に追加されるとスペクトラム成分λN+1 が追加されるチャネルを占有しているスペクトラム成分λ1 をドロップして２つの信号間で干渉を回避しなければならない。言い換えると、第１スペクトラム成分はそれを置換するために、第２スペクトラム成分を追加することなくドロップするが、第２スペクトラム成分は第１スペクトラム成分をドロップすることなく追加してはならない、さもないと同一のチャネルを占有してしまうからである。
【００１４】
多重化信号３が上記の追加およびドロップ操作から得られるが、図１に示した実施例においては、第２のスペクトラム成分λN+1 は、第１のスペクトラム成分λ1 を置換する。スペクトラム成分は、本発明によりＷＳＡＤＭにより追加したりドロップしたりすることができる。
【００１５】
本発明によれば、光スイッチは時には他の素子と共に他のスペクトラム成分からドロップするために選択された１つあるいは複数のスペクトラム成分を分離するか、あるいは追加するために選択された１つあるいは複数のスペクトラム成分を導入する。本発明と共に用いられるスイッチは、挿入損失が低く（好ましくは１ｄＢ以下）、コントラスト比が高く（好ましくは２０／１以上）で、光バンド幅が広く（好ましくは中心波長周囲で少なくとも３０ｎｍ以上）で、かなりの速度があり（少なくとも１ｍｂｉｔ／秒）で、低コストで、温度依存性あるいは極性依存性がほとんど存在しないものである。このような光学スイッチを用いることにより、低価格，頑強，十分に高速で伝送フォーマットが独立した波長選択性追加／ドロップマルチプレクサを提供できる。
【００１６】
本発明に使用されるのに適した第１スイッチＳ１は、（１×１）のマイクロマシーンの光スイッチで、これは例えば米国特許出願０８／８５６５６９（１９９７年５月１５日出願）に記載されている。この（１×１）スイッチの一実施例は、マイクロ電子機械システム（micro-electromechanical systems −ＭＥＭＳ）ベースのアクチュエータを用いて光信号のパスに光学デバイスを挿入したり取り出したりする。光学デバイスが光信号のパス内にある場合には、光学デバイスは信号に何らかの影響を及ぼす。
【００１７】
本発明の他の実施例との使用に際しては、この光学デバイスは、誘電体材料製ミラーのような固定反射率（一定反射率）を有する反射素子である。このため反射素子が光学パス内にあるときには、スイッチは反射状態にあり、反射素子が光学パス外にあるときには、スイッチは透過状態にある。このようなスイッチの一実施例とその動作状態を図２Ａに示す。
【００１８】
図２Ａに示した実施例においては、スイッチＳ１ａは、「インプレイン」スイッチングで構成されている。本明細書において、「インプレイン」，水平方向，「アウトオブプレイン」，垂直方向とは、光スイッチが搭載された支持部材の表面に対する方向あるいは位置を示す。例えば、インプレイン即ち水平方向の移動は、支持部材の表面に平行な面に沿った移動を意味する。
【００１９】
光学スイッチＳ１は、ヒンジ付きプレートアクチュエータ４ａと、反射素子８とリンク６ａとを有する。光学スイッチＳ１と２個の導波路１２，１４は、サポート部材１６上に配置されている。リンク６ａは、ヒンジ付きプレートアクチュエータ４ａを反射デバイス８に機械的にリンク（即ち、接続）する。リンク６ａは、導波路１２と１４との間のギャップ１０を通る軸１−１に沿って配置される。この２個の離間した導波路１２，１４は、光学通信ができるよう整合している。これらの導波路は、光ファイバあるいは、他の光学伝送媒体である。
【００２０】
リンク６ａと反射デバイス８は、導波路１２，１４に関連して配置され、その結果光学デバイスは第１位置と第２位置との間で移動可能である。この第１位置は、光スイッチを反射状態に置くファイバ間を伝播する光信号のパス内にあり、第２位置は光スイッチを透過状態に置く光学パス外にある。アクチュエータ４ａは、インプレイン動作をリンク６ａに与えると、反射デバイス８は方向矢印１８で示したように水平方向前後に移動する、即ち往復運動をして光学パス内に入ったり出たりする。光学スイッチＳ１ａは、反射デバイス８がアクチュエータ４ａが活性状態にあるときには第１位置（光パス内）にあり、アクチュエータ４ａが活性化されないときには第２位置（光パス外）にある。
【００２１】
一実施例においては、アクチュエータ４ａは垂直方向の電極を２個有する。そのうちの１つの電極は移動可能で、他の電極は固定されている。電圧が制御電圧ソースにより電極に加えられると、移動可能な電極は固定電極方向に移動する。この移動可能な電極の水平方向の動きは、リンク６ａにより反射デバイス８に伝えられる。その結果反射デバイス８は、この移動可能電極の前後の振動的な動きとして光学パスの内外に反射デバイス８を配置するようなパスに沿って水平方向、即ちインプレインで移動する。
【００２２】
図２Ｂに示す（１×１）スイッチの第２の実施例においては、スイッチＳ１ｂは「アウトオブプレイン」スイッチングとして構成されている。スイッチＳ１ｂは、方向矢印１９に示されたようにリンク６ｂを介して反射デバイス８にアウトオブプレイン動作を伝える。光学スイッチＳ１ｂと導波路１２，１４は、サポート部材１６上に配置される。リンク６ｂは導波路１２，１４間のギャップ１０を通る軸１−１に沿って配置される。
【００２３】
リンク６ｂと反射デバイス８は、導波路１２，１４に関連して配置され、その結果光学デバイスは第１位置と第２位置との間で移動可能である。この第１位置は、光スイッチを反射状態に置くファイバ間を伝播する光信号のパス内にあり、第２位置は光スイッチを透過状態に置く光学パス外にある。アクチュエータ４ｂは、インプレイン動作をリンク６ｂに与えると、反射デバイス８は方向矢印１９で示したように垂直方向に上下に移動する、即ち往復運動をして光学パス内に入ったり出たりする。光学スイッチＳ１ｂは、反射デバイス８がアクチュエータ４ｂが活性状態にあるときには第１位置（光パス内）にあり、アクチュエータ４ｂが活性化されないときには第２位置（光パス外）にある。
【００２４】
一実施例においては、アクチュエータ４ｂはサポート部材１６の導電領域の上に吊るされた垂直方向に配置され、垂直方向に移動可能な電極を有する。電圧が電極と導電性領域との間に制御電圧ソースから印加されると垂直方向に移動可能な電極は導電領域の方向に向かって下方に移動する。リンク６ｂは、一実施例においては、ティータあるいはシーソー形態で構成されたビームとピボット部材であり、電極の垂直方向、即ちアウトオブプレーンの動きを２つの導波路間に配置された反射デバイス８に伝える。反射手段は、導波路内を伝播する光学信号の光学パス内に垂直方向から入ったり出たりする。
【００２５】
ある実施例においては、光学スイッチＳ１ａ，Ｓ１ｂのリンクあるいは他の構成要素はヒンジ付きプレートで実現される。この種のヒンジ付きプレートは、マイクロ機械技術分野においては公知である。ヒンジ付きプレートと（１×１）マイクロマシーン光学スイッチに関する詳細は、米国特許出願番号０８／８５６５６５，同０８／８５６５６９を参照のこと。またヒンジ付きプレートに関する文献は、Pister et al.著の“Microfabricated Hinges,”v. 33, Sensors and Actuators A, pp. 249-256, 1992  を参照こと。
【００２６】
本発明と共に使用される第２スイッチは、（２×２）自由空間光学バイパス交換スイッチであり、これに関しては米国特許出願０８／９１２８８３（出願日１９９７年８月１６日）を参照のこと。本明細書に示した（２×２）スイッチのある実施例は、入力点から出力点に高効率で信号を分配するテレセントリック画像デバイス１０４と、このスイッチを介して光学信号のパスを変更できる光学ディレクタ１０６とを有する。
【００２７】
本発明と共に使用される光学ディレクタ１０６は、光学変調器のような可変反射デバイスまたは誘電体材料製ミラーのような一定反射率デバイスのいずれかである。可変反射率デバイスを用いた場合には、切り換え機能が得られる。即ちそこを伝播する光学信号のパスは、反射率の変化を制御することによりに、例えば透過状態と反射状態との間の変化を制御することにより変更できる。
【００２８】
一定反射率ミラーを用いた場合には、切り換え機能はミラーをスイッチ内を伝播する光学信号のパス内に挿入したりあるいは取り出したりすることにより、そしてスイッチを反射状態と透過状態に置くことにより得られる。このような動きは、上記のアクチュエータ４ａ，４ｂのようなＭＥＭＳベースのアクチュエータにより駆動される。
【００２９】
（２×２）自由空間光学バイパス交換スイッチの別の実施例を図３Ａ、３Ｂに示す。同図に示された実施例においては、テレセントリック画像デバイス１０４は入射する光をコリメートするのに適した一対のレンズ１１０，１１２である。このようなレンズにはそれに限らないが傾斜インデックス（graded index−ＧＲＩＮ），ボールレンズ，モールドレンズ（例えば、注入モールド形成レンズ）が含まれる。所望のテレセントリック光学システムを提供するこのようなレンズ１１０，１１２の機能と配置に付いて次に述べる。図３Ａ，３Ｂに示した実施例においては、光学ディレクタ１０６は可変反射率デバイスであり、入力９０ａ，９０ｃと出力９０ｂ，９０ｄは、光ファイバで実現される。
【００３０】
ここでの議論を明確にするために、第２入力ファイバ９０ｃと第１出力ファイバ９０ｂとの間の距離ｄ4 は、第１入力ファイバ９０ａと第２出力ファイバ９０ｄとの間の距離ｄ2 に等しいものとする。かくして拡大または縮小が必要としない場合には、レンズ１１０，１１２は同一のものでよい。条件ｄ2＝ｄ4は、本発明の要件ではなく他の実施例においてはｄ2≠ｄ4である。
【００３１】
図３Ａは交換状態即ち透過状態を表し、同図において光学信号９２（９２ａ）は第１入力ファイバ９０ａから第１出力ファイバ９０ｂへのイメージであり、光学信号９４（９４ａ）は、第２入力ファイバ９０ｃから第２出力ファイバ９０ｄへのイメージである。このようなイメージは、次のようにして実現される。コリメートレンズ１１０を第１入力ファイバ９０ａから距離ｄ1 の所に配置する。
【００３２】
距離ｄ1 は、コリメートレンズ１１０の焦点長に等しいとすると、このレンズはそこに入射する光をコリメートする。このため距離ｄ1 がレンズ１１０の焦点距離に等しい場合には、レンズは光学信号９２をコリメートする。コリメートレンズ１１２が第２入力ファイバ９０ｃから距離ｄ3 の所に配置されている。距離ｄ3 は、レンズ１１２の焦点距離に等しいとすると、このレンズは光学信号９４をコリメートする。これは前述したように距離ｄ2＝ｄ4で、ｄ1＝ｄ3であるからである。
【００３３】
光学信号９２（９２ａ）はレンズ１１０によりコリメートされ、レンズ１１２で受光したときにコリメートされたままであり、第１出力ファイバ９０ｂにイメージが入力される。このテレセントリック光学システムは、レンズ１１０を通る１つのパスとレンズ１１２を通る１つのパスにより形成される。この光学系を単純化するために、入力ファイバと出力ファイバ９０ａ−９０ｄは、レンズ１１０，１１２の光学軸Ａ−Ａから等距離離れているとする。光学信号９４（９４ａ）は、レンズ１１２によりコリメートされ、レンズ１１０で受光した時にはコリメートされたままであり、第２出力ファイバ９０ｄにイメージが入力される。
【００３４】
バイパス交換スイッチのバイパス状態即ち反射状態を図３Ｂに示す。同図において光学信号９２（９２ｂ）は、第１入力ファイバ９０ａから第２出力ファイバ９０ｄにイメージが入射され、光学信号９４（９４ｂ）は、第２入力ファイバ９０ｃから第１出力ファイバ９０ｂにイメージが入射される。光学信号９２は高効率で第２出力ファイバ９０ｄにイメージが入力されるが、これは光学ディレクタ１０６をフーリエ面Ｂ−Ｂに配置する（即ち、コリメートレンズ１１０の後方の焦点面をレンズ１１０の距離ｄ5 に配置する）。レンズに入るコリメートビームは、フーリエ面に配置された表面上の一点に集光する。これに関しての数学的定義は、Goodman著のIntroduction to Physical Optics, Chapter 5, “Fourier Transforming and Imaging Properties of Lenses,”(McGraw-Hill, 1968) を参照のこと。
【００３５】
光学ディレクタ１０６はコリメートレンズ１１２から距離ｄ6 即ちレンズ１１２のフーリエ面に配置され、その結果光学信号９４は高効率で第１出力ファイバ９０ｂ内にイメージが入力される。かくしてコリメートレンズ１１０，１１２は距離ｄ7 だけ離れている。ここでｄ7＝ｄ5＋ｄ6 。レンズ１１０と１１２が同一の場合の実施例においては、ｄ5 はｄ6 に等しく、その結果フーリエ面Ｂ−Ｂと光学ディレクタ１０６はレンズ１１０，１１２から等距離に配置される。光学ディレクタ１０６をフーリエ面に配置することにより、光学信号９２または光学信号９４を通る２つのパスが形成され、かくしてテレセントリック光学システムが形成できる。
【００３６】
ある実施例においては、レンズ１１０，１１２はクオーターピッチ（quarter-pitch） のＧＲＩＮレンズである。このクオーターピッチのＧＲＩＮレンズは、光学信号９２，９４のような光学信号をコリメートする最短のＧＲＩＮレンズである。適宜に駆動される一定反射率デバイスは、図３Ａ，３Ｂの実施例で用いられる可変反射率デバイスと置き換えることができる。（２×２）自由空間光学バイパス交換スイッチに関する詳細は、米国特許出願０８／９１２８８３に開示されている。
【００３７】
上記のスイッチ、即ち（１×１）対（２×２）の一方を適宜選択して、本発明のＷＳＡＤＭに組み込むことにより、ＷＳＡＤＭの全体の構成に影響を及ぼす。本発明のＷＳＡＤＭの構成において、スイッチの選択および他の変形例は、図４−７と図９−１０に示された６種類の実施例を用いて次に説明する。
【００３８】
図４は、Ｎ個のチャネルを有するＷＤＭ信号２７０を処理するのに適したＷＳＡＤＭ１ａの第１実施例を示す。
【００３９】
ＷＳＡＤＭ１ａは、入力として導波路２０２上を搬送されるＷＤＭ信号２７０を受信する。即ちＷＤＭ信号２７０は、光学サーキュレータ２２０のポート２２２が受信する。光学サーキュレータ２２０の動作は公知であるが、ＷＤＭ信号２７０のような光学信号は、循環方向２１８に沿って次のポートであるポート２２４に分配される。このポート２２４からＷＤＭ信号２７０が、導波路２０４に沿ってＷＤＭ信号２７０をスペクトラム成分２７０1−２７０Nに分離するのに適したデバイスの方向に放出される。
【００４０】
ＷＳＡＤＭ１ａと本明細書に示された他の実施例においては、導波路グレーティングルータ（waveguide grating router−ＷＧＲ）は、ドラゴンルータとして公知であるが、これはディマルチプレクシング／マルチプレクシングの両方に用いられる。ＷＳＡＤＭ１ａにおいては、（１×Ｎ）ＷＧＲ２４０はＷＤＭ信号２７０をＮ個のスペクトラム成分に分離（demultiplex）する。
【００４１】
ＷＤＭ信号２７０のＮ個のスペクトラム成分はＷＧＲ２４０の出力上に現れ、導波路２０６1−２０６NによりＮ個の（１×１）スイッチＳ１1−Ｓ１Nに搬送される。この（１×１）スイッチＳ１1−Ｓ１Nの構成は、前述した通りである。スペクトラム成分２７０1−２７０Nの後続のパスは、それぞれに関連する（１×１）スイッチＳ１1−Ｓ１Nにより制御される。具体的に説明するとスイッチがいずれかの状態で配置される、即ち反射状態ではスイッチを通る光を阻止し、透過状態では全ての光がスイッチ内を通過する。
【００４２】
反射状態においては、誘電体ミラーのような反射デバイスがスイッチを通って伝播するスペクトラム成分の光学パスに配置される。例えば（１×１）スイッチＳ１2 は、図４では反射状態で示されている。スイッチＳ１2 においては、反射デバイス８によりスペクトラム成分２７０2 の光学エネルギは、導波路２０６2 に沿ってＷＧＲ２４０まで反射される。スペクトラム成分２７０2 は、ＷＧＲ２４０を通過し導波路２０４上に出現して光学サーキュレータ２２０のポート２２４に分配される。光学サーキュレータ２２０は、スペクトラム成分をドロップするために、ポート２２６に進める。かくして１つあるいは複数のスペクトラム成分がＷＤＭ信号からドロップされる。
【００４３】
透過状態においては、反射デバイスがそこを通過するスペクトラム成分の光学パスの外に配置される。このため透過状態にあるスイッチ、例えばスイッチＳ１1 に入るスペクトラム成分は、そのスイッチ内で何等の影響を受けず通過して、例えば導波路２０８1 のようなスイッチに入って第２の（１×Ｎ）ＷＧＲ２５０に導かれる。このＷＧＲ２５０に入るスペクトラム成分は、再結合即ち再度多重化される。この再度多重化されたＷＤＭ信号２７２は、ＷＧＲ２５０の出力点に現れ、導波路２０９に入り光学サーキュレータ２３０のポート２３４に分配される。光学サーキュレータ２３０はＷＤＭ信号２７２をポート２３６に分配し、そして導波路２１２に入力してネットワークノード等に伝播する。
【００４４】
１つあるいは複数のスペクトラム成分がＷＤＭ信号２７０（ドロップされたスペクトラム成分以下の数）を含むスペクトラム成分２７０1−２７０Nの元のグループに加えられる。このような付加（追加）は、光学サーキュレータ２３０のポート２３２に追加されるべきスペクトラム成分を分配することにより行われる。説明を簡単にするために、１個のスペクトラム成分２７０N+1 のみが追加される場合を次に説明する。しかし、Ｎ個の（１×１）スイッチは、Ｎ個のスペクトラム成分を追加することができ、同様な数のスペクトラム成分もまた元の信号からドロップすることもできる。
【００４５】
１つの追加されたスペクトラム成分２７０N+1 がポート２３２からポート２３４に進みＷＧＲ２５０方向の導波路２１０内に入射される。このＷＧＲ２５０がスペクトラム成分を導波路２０８1−２０８Nの適宜の１つ上に波長によって分配する。スペクトラム成分２７０N+1 は、ドロップされたスペクトラム成分２７０2 により空いたチャネルを占有するのに適した波長を有するものとする。かくしてスペクトラム成分２７０N+1 は、導波路２０８2 内に入射され、スイッチＳ１2 に入力される。
【００４６】
スイッチＳ１2 は、上記のスペクトラム成分２７０2 をドロップするために反射状態にある。かくしてスペクトラム成分２７０N+1 も同様にスイッチＳ１2 に入ると反射されるが、これはＷＧＲ２５０の方向に向いて行われ、他のスペクトラム成分２７０1 とスペクトラム成分２７０3−２７０Nと共に多重化されてＷＤＭ信号２７２に入力される。
【００４７】
図５は、ＷＳＡＤＭ１ｂの第２の実施例を示す。ＷＳＡＤＭ１ｂにおいては、複数のＮ個の（２×２）スイッチＳ２1−Ｓ２Nが前の実施例の（１×１）スイッチの代わりに配置される。（２×２）スイッチＳ２1−Ｓ２Nを用いると第１実施例の（１×１）スイッチと共に用いられた光学サーキュレータ２２０，２３０はもはや必要とはされない。そのことを次に述べる。
【００４８】
ＷＳＡＤＭ１ｂは、入力として導波路２０２上を搬送されるＷＤＭ信号２７０を受信する。このＷＤＭ信号２７０は、ＷＧＲ２４０に分配され、そこでスペクトラム成分２７０1−２７０Nに分離（demaultiplex）される。ＷＤＭ信号２７０のＮ個のスペクトラム成分がＷＧＲ２４０の出力上に現れ、導波路２０６1−２０６NによりＮ個の（２×２）スイッチＳ２1−Ｓ２Nに搬送される。この（２×２）スイッチＳ２1−Ｓ２Nの構成は、前述した通りであり、光学ディレクタ１０６として一定反射率デバイスとアクチュエータ４ａ，４ｂのようなアクチュエータの組み合わせあるいは可変反射率デバイスのいずれかを用いて前述した通りに構成される。
【００４９】
スイッチは、個々のベースで透過状態で配置されるが、その状態においては光学ディレクタ１０６はそこを伝播するスペクトラム成分にとっては、眼に見えないものである。光学ディレクタ１０６が可変反射率デバイスである実施例においては、このスイッチは、可変反射率デバイスを低反射率状態に配置することにより透過状態で配置される。光学ディレクタ１０６が一定反射率デバイスである他の実施例においては、このスイッチは、この一定反射率デバイスをアクチュエータの動作により光学パスから取り除くことにより透過状態で配置する。
【００５０】
スイッチは、個々のベースで反射状態で配置されるが、その状態においては光学ディレクタ１０６はそこを通過するスペクトラム成分の大部分を反射する。光学ディレクタ１０６が可変反射率デバイスである実施例においては、このスイッチは、可変反射率デバイスを高反射率状態にすることにより反射状態で配置される。光学ディレクタ１０６が一定反射率デバイスである他の実施例においては、このスイッチは、この一定反射率デバイスをアクチュエータの動作により光学パスから取り除くことにより反射状態で配置する。
【００５１】
スペクトラム成分２７０1−２７０Nの配置、即ちドロップあるいはＷＤＭ信号２７２への再多重化は、それぞれの関連する（２×２）スイッチＳ２1−Ｓ２Nにより制御される。この（２×２）スイッチは２個の入力と２個の出力とを有する。この（２×２）スイッチの第１入力Ｓ２iIN1は、導波路２０６1−２０６Nの１つからそれに分配されるスペクトラム成分２７０1−２７０Nの１つを受信する。このスイッチが透過状態にあるときには、１つのスペクトラム成分がスイッチをクロスして第１出力Ｓ２iOUT1 に結合され、導波路２０８1−２０８Nに沿ってＷＧＲ２５０に分配される。
【００５２】
例えば、図５に示すＷＳＡＤＭ１ｂの実施例においては、スイッチＳ２1 は透過状態にある。スペクトラム成分２７０1 は、スイッチＳ２1 の入力Ｓ２1IN1に導波路２０６1 を介して分配され、スイッチ内をクロスして出力Ｓ２1OUT1 に結合され、導波路２０８1 に出力される。透過状態にあるスイッチに入るスペクトラム成分２７０1 のようなスペクトラム成分は、このスイッチ内を何の影響も受けずに伝播して、例えば導波路２０８1 のような導波路内に入射し、第２の（１×Ｎ）ＷＧＲ２５０に導かれる。このＷＧＲ２５０内に入るスペクトラム成分は、そこで再結合即ち再度多重化される。この再度多重化された信号２７２は、ＷＧＲ２５０の出力点に現れ導波路２０９内に伝播して次のネットワークノードに伝送される。
【００５３】
スイッチが反射状態にある場合には、入力Ｓ２iIN1で受信した１つのスペクトラム成分は、第２の出力Ｓ２iOUT2 に結合され、導波路２１０i 内に入射されてドロップされる。例えば、図５に示すＷＳＡＤＭ１ｂの実施例においては、スイッチＳ２2 は反射状態にある。スイッチＳ２2 のＳ２2IN1に導波路２０６2 を介して分配されるスペクトラム成分２７０2 は、光学ディレクタ１０６に入力される。この光学ディレクタ１０６に入力されるとスペクトラム成分２７０2 は反射されて第２の出力Ｓ２2OUT2 に高効率で結合されて導波路２１０2 に入力されてドロップされる。
【００５４】
スイッチは反射状態にあるため、第２入力Ｓ２iIN2はスペクトラム成分をＷＤＭ信号に追加するために用いることができる。この追加されたスペクトラム成分は、第２入力Ｓ２iIN2に追加用導波路２１２i を介して分配され、第１出力Ｓ２iOUT1 に結合されて導波路２０８i に入力される。
【００５５】
例えばスイッチＳ２2 においては、スペクトラム成分２７０N+1 がそれを追加用の導波路２１２2 に分配することにより追加される。スペクトラム成分２７０N+1 が光学ディレクタ１０６に入射するとそこで反射されて高効率で導波路２０８2 に結合される。このスペクトラム成分は、第２のＷＧＲ２５０に分配され、そこでスペクトラム成分２７０1 とスペクトラム成分２７０3−２７０Nと共にＷＤＭ信号２７２に多重化される。
【００５６】
ＷＳＡＤＭの第３と第４の実施例を図６，７に示す。図６，７のそれぞれに示されたＷＳＡＤＭ１ｃと１ｄは、１個のディマルチプレクサ／マルチプレクサ３４０のみでいいように構成している。このディマルチプレクサ／マルチプレクサ３４０は、１／２自由スペクトラム範囲を有する（１×２Ｎ）のデバイスである。２つのポート３４２，３４４がこのデバイスの「多重化」側にある。
【００５７】
図６に示したＷＳＡＤＭ１ｃにおいては、前の実施例と同様にマルチプレクサ／ディマルチプレクサは、ＷＧＲで実現されている。ＷＧＲ３４０のポート３４２がＷＤＭ信号２７０を導波路２０４から受信し、さらにＷＧＲ３４０から離れる例えばスペクトラム成分２７０2 のようなドロップ用に選択されたスペクトラム成分も受信する。他のポート３４４はＷＧＲ３４０からでる再度多重化された信号２７２を受信し、さらに導波路２１０から付加されるよう選択されたスペクトラム成分２７０n+1のようなスペクトラム成分を受信する。
【００５８】
ＷＳＡＤＭ１ｃは、Ｎ個の（１×１）スイッチＳ１1−Ｓ１Nと２個の（１×Ｎ）光学サーキュレータ２２０，２３０を用いる。ＷＳＡＤＭ１ｃは、入力として導波路２０２上を搬送されるＷＤＭ信号２７０を受信する。ＷＳＡＤＭ１ａと同様にＷＤＭ信号２７０は、光学サーキュレータ２２０のポート２２２に分配される。ＷＤＭ信号２７０は、循環方向２１８に沿って次のポートであるポート２２４に分配される。このポート２２４から、信号２７０は、導波路２０４に沿って（２×２Ｎ）ＷＧＲ３４０の方向に入射される。ディマルチプレクスされたスペクトラム成分２７０1−２７０Nは、ＷＧＲ３４０の出力上に現れ、導波路２０６1−２０６NによりＮ個の（１×１）スイッチＳ１1−Ｓ１Nに搬送される。
【００５９】
前述した実施例と同様にスペクトラム成分と最終的な配置、即ちドロップまたはＷＤＭ信号への再多重化は、スイッチの状態により支配される。例えば、（１×１）スイッチＳ１2 は反射状態で示されており、これによりスペクトラム成分２７０2 は導波路２０６2 に沿ってＷＧＲ３４０に反射されて戻される。スペクトラム成分２７０2 は、ＷＧＲ３４０を通過して導波路２０４内に入りそして光学サーキュレータ２２０のポート２２４へそのスペクトラム成分を分配する。光学サーキュレータ２２０は、このスペクトラム成分をポート２２６に送りドロップする。
【００６０】
スイッチＳ１1 は透過状態で示されており、同状態においては、スペクトラム成分２７０1 はスイッチＳ１1 を何等影響を受けずに通過して導波路２０８1 に入射する。スペクトラム成分２７０1 と他のスイッチＳ１3−Ｓ１Nを通過するスペクトラム成分は、ＷＧＲ３４０のポート３４４に分配される。この成分は、ＷＧＲ３４０によりＷＤＭ信号２７２に再度多重化される。このＷＤＭ信号２７２は導波路２０９に入射され、第２の光学サーキュレータ２３０のポート２３４に分配される。この光学サーキュレータ２３０はＷＤＭ信号２７２をポート２３６に分配し、さらに導波路２１２に入射して次のネットワークノードに伝送する。
【００６１】
１つあるいは複数のスペクトラム成分がこのようなスペクトラム成分を光学サーキュレータ２３０のポート２３２に分配することによりＷＳＡＤＭ１ｃを用いて追加される。説明を簡単にするために１個のスペクトラム成分２７０N+1 が追加される場合を次に説明する。１個の追加用のスペクトラム成分２７０N+1 は、ポート２３２からポート２３４に進みそしてＷＧＲ３４０のポート３４４の方向に導波路２０９内に入射される。
【００６２】
このＷＧＲ３４０は、スペクトラム成分を導波路２０８1−２０８Nの適宜の１つに波長によって分配する。スペクトラム成分２７０N+1 はドロップされたスペクトラム成分２７０2 により空きとなったチャネルを占有するに適した波長を有する。かくしてスペクトラム成分２７０N+1 は、導波路２０８2 に入射され、スイッチＳ１2 に入力される。
【００６３】
スイッチＳ１2 は、反射状態でスペクトラム成分２７０2 の上記のドロップを実行する。かくしてスペクトラム成分２７０N+1 も同様にスイッチＳ１2 で反射されるが、導波路２０８2 に沿って伝播してその結果ＷＧＲ３４０に入射すると他のスペクトラム成分２７０1 と２７０3−２７０Nと共にＷＤＭ信号２７２に多重化されてポート３４４に分配される。このポート３４４からＷＤＭ信号２７２は導波路２０９に入射され、光学サーキュレータ２３０のポート２３４により受信される。光学サーキュレータは、信号２７２をポート２３６に分配し、そこで信号２７２は導波路２１２に入射されて次のネットワークノードに伝送される。
【００６４】
図７は、ＷＳＡＤＭ１ｄの第４の実施例を示す。このＷＳＡＤＭ１ｄにおいて、ＷＳＡＤＭ１ｂと同様に複数のＮ個の（２×２）スイッチＳ２1−Ｓ２Nが（１×１）スイッチに置き換わっている。前述したように、（２×２）スイッチＳ２1−Ｓ２Nを用いて（１×１）スイッチと共に使用する際必要とされた光学サーキュレータ２２０，２３０はもはや必要はない。
【００６５】
ＷＳＡＤＭ１ｄは、入力として導波路２０２上を搬送されるＷＤＭ信号２７０を受信する。このＷＤＭ信号２７０が（２×２Ｎ）ＷＧＲ３４０のポート３４２に分配される。このＷＧＲ３４０は、ＷＤＭ信号２７０を分離（demultiplex）する。この分離されたスペクトラム成分２７０1−２７０Nは、ＷＧＲ３４０の出力上に現れ、導波路２０６1−２０６Nにより（２×２）スイッチＳ１1−Ｓ１Nに搬送される。
【００６６】
図７に示されたＷＳＡＤＭ１ｄの実施例においては、前の実施例とは異なりスイッチＳ２2 のようなスイッチを伝送状態に配置し、これによりスペクトラム成分をドロップしたり追加したりする。例えば、導波路２０６2 を介してスイッチＳ２2 の第１入力Ｓ２2IN1へ分配された後、スペクトラム成分２７０2 は第１出力Ｓ２2OUT1 に結合され、導波路２１０2 に出力されてドロップされる。
【００６７】
スペクトラム成分２７０N+1 はそれを第２入力Ｓ２2IN2に導波路２１２2 を介して分配することにより追加される。このスペクトラム成分２７０N+1 は、第２出力Ｓ２2OUT2 に結合され、導波路２０８2 に出力されてそれによりＷＧＲ３４０に分配される。スペクトラム成分２７０N+1 は、ドロップされなかったスペクトラム成分と共に多重化されてＷＤＭ信号２７２となり、このＷＤＭ信号２７２がポート３４４に分配され、導波路２０９に出力されて次のネットワークノードに伝送される。
【００６８】
スイッチＳ２1 のような反射状態にあるスイッチの第１入力Ｓ２iIN1に分配されるスペクトラム成分２１２1 のようなスペクトラム成分は、光学ディレクタ１０６と接触して出力Ｓ２iOUT2 に結合される。このスペクトラム成分は、その後導波路２０８i を介してＷＧＲ３４０に分配される。このスペクトラム成分は、ＷＧＲ３４０内で多重化されてＷＤＭ信号２７２となり、ポート３４４に分配される。このＷＤＭ信号２７２は導波路２０９に出力されて、次のネットワークノードに伝送される。
【００６９】
図９，１０は、ＷＳＡＤＭの別の実施例を示す。これらの実施例においては、前述した実施例で用いられたディマルチプレクサ／マルチプレクサ装置、例えばＷＧＲは必要ではない。複数の導波路フィルタリング装置、例えば薄膜伝送フィルタあるいはファイバブラググレーティングにより実現されるフィルタデバイスを必要によってＷＤＭ信号からのスペクトラム成分を追加したりドロップしたりするのに用いることができる。
【００７０】
図９，１０に示したＷＳＡＤＭの説明の前に波長フィルタ装置の機能を図８Ａ，８Ｂを例に以下に説明する。これらの図は、前述した（２×２）スイッチと類似の（２×２）スイッチを示しているが、さらに波長フィルタリングデバイス１０７を有する。一実施例においては、波長フィルタリングデバイス１０７はレンズの端面に配置された誘電体材料製の表面コーティングである。前述したように本発明と共に用いられる（２×２）スイッチの実施例においては、２個のＧＲＩＮレンズを用いてテレセントリック画像デバイス１０４（図３Ａ，３Ｂ）を形成する。
【００７１】
かくして誘電体材料製の表面コーティングがこのＧＲＩＮレンズの一方の面に配置される。この誘電体材料製の表面コーティングは、異なる屈折率を有する複数の誘電体層を有し、スペクトラム成分のある群を反射しかつ他のスペクトラム成分を透過する。このようなある群のスペクトラム成分を反射し、他のスペクトラム成分を透過するような表面コーティングは、当業者に公知である。
【００７２】
図８Ａを参照すると、ＷＤＭ信号２７０は入力Ｓ２ＡiIN1で受信され、波長フィルタリングデバイス１０７の方向に向けられる。この実施例においては、波長フィルタリングデバイス１０７はスペクトラム成分２７０2−２７０Nを反射する。かくして、波長フィルタリングデバイス１０７にこれらのスペクトラム成分が接触すると、これらのスペクトラム成分は、出力Ｓ２ＡiOUT2 の方向に反射され、一方スペクトラム成分２７０1 はこの波長フィルタリングデバイス１０７を透過する。
【００７３】
図８Ａにおいては、スイッチＳ２Ａi は透過状態にあり、その結果スペクトラム成分２７０1 は、光学ディレクタ１０６を透過して出力Ｓ２ＡiOUT1 に結合されドロップされる。さらにまた図８Ａに示した実施例においては、スペクトラム成分２７０N+1 がスペクトラム成分の残りのグループに追加されてＷＤＭ信号２７２を形成する。スペクトラム成分２７０1 と２７０N+1 は、同一の波長であり、その結果スペクトラム成分２７０N+1 は、波長フィルタリングデバイス１０７と接触して反射されずにスペクトラム成分２７０1 と同様に波長フィルタリングデバイス１０７を通過する。
【００７４】
図８Ｂにおいて、スイッチＳ２Ａi は、反射状態で示されており、その結果波長フィルタリングデバイス１０７を通過した後、スペクトラム成分２７０1 は光学ディレクタ１０６により反射され、波長フィルタリングデバイス１０７内を再び通過してスペクトラム成分２７０2−２７０Nに再結合する。このため波長フィルタリングデバイス１０７は常に特定の波長を有するスペクトラム成分を反射し、他の波長を有するスペクトラム成分を透過するが、この他の波長を有するスペクトラム成分のドロップは、そのスイッチの状態により制御可能である。
【００７５】
図８Ａ，８Ｂに示す実施例においては、波長フィルタリングデバイス１０７はスペクトラム成分の大部分、即ちスペクトラム成分２７０2−２７０Nを反射し、１つのスペクトラム成分２７０1 のみを透過する。図８Ｃは他の実施例を示し、同図においては、波長フィルタリングデバイス１０７は１個のスペクトラム成分、例えば２７０1 のみをＳ２ＡiOUT2 方向に反射して、残りのスペクトラム成分２７０2−２７０Nを出力Ｓ２ＡiOUT1 に透過する。
【００７６】
スペクトラム成分２７０N+1 は、入力Ｓ２ＡiIN2にそれを分配することにより追加され、そこから光学ディレクタ１０６の方向に向けそこを通過する。スペクトラム成分２７０N+1 は、波長フィルタリングデバイス１０７に出会いそれにより出力Ｓ２ＡiOUT1 方向に反射される。図８Ｃに示した実施例おいては、このスイッチは透過状態に維持され、フィルタ処理されたスペクトラム成分は常にドロップされる。
【００７７】
図９に示す実施例においては、ＷＳＡＤＭ１ｅはカスケード状態に接続されたＮ個の導波路結合された（２×２）スイッチＳ２Ａ1−Ｓ２ＡNを有する。図９のＷＳＡＤＭ１ｅの実施例においては、（２×２）スイッチは、図８Ａ，８Ｂに示すよう構成されている。他の実施例においては、スイッチは図８Ｃに示すよう構成されている。ＷＤＭ信号２７０は、スイッチＳ２Ａ1 の入力Ｓ２Ａ1IN1に導波路４０２を介して分配される。
【００７８】
ＷＤＭ信号２７０は波長フィルタリングデバイス１０７1 の方向に向けられ、この波長フィルタリングデバイス１０７1 に接触するとＷＤＭ信号２７０のスペクトラム成分２７０2−２７０Nは、出力Ｓ２Ａ1OUT2 方向に反射される。スペクトラム成分２７０1 は波長フィルタリングデバイス１０７1 を通過し、スイッチＳ２Ａ1 は透過状態にあるため、さらに光学ディレクタ１０６1 を通過して出力Ｓ２Ａ1OUT1 に結合される。スペクトラム成分２７０N+1 は入力Ｓ２Ａ1IN1に分配され、導波路４０４1 を介して追加される。スペクトラム成分２７０N+1 は出力Ｓ２Ａ1OUT2 に結合され、光学ディレクタ１０６1 と波長フィルタリングデバイス１０７1 を通過する。
【００７９】
ＷＤＭ信号２７１は出力Ｓ２Ａ1OUT2 に結合されたスペクトラム成分を有し、これは導波路４０８1 に入射され、スイッチＳ２Ａ2 の入力Ｓ２Ａ2IN1に分配される。スイッチＳ２Ａ2 は反射状態にあるため、全てのスペクトラム成分（スペクトラム成分２７０2 を含む）は出力Ｓ２Ａ2OUT2 方向に反射され、波長フィルタリングデバイス１０７2 を通過する。
【００８０】
ＷＤＭ信号は一連のスイッチＳ２Ａ3−Ｓ２ＡN-1を通過するが、その際スペクトラム成分は、波長フィルタリングデバイス１０７3−１０７N-1の操作により、ドロップされたり追加されたりする。最終的に導波路４０８N は、ＷＤＭ信号２７２のスイッチＳ２ＡN の入力Ｓ２ＡNIN1に分配する。図９に示した実施例においては、ＷＤＭ信号２７２のスペクトラム成分は出力Ｓ２Ａ2OUT2  方向に反射され、導波路４１０内に入射される。
【００８１】
図１０はＮ個の（２×２）スイッチＳ２Ａ1−Ｓ２ＡNのカスケードを含むＷＳＡＤＭ１ｆの実施例を示す。図９の実施例に示されたようなスイッチ間の信号伝送用導波路を用いる代わりにＷＤＭ信号は、「自由空間」のスイッチ間を通過する。図１０のＷＳＡＤＭ１ｆの実施例においては、（２×２）スイッチは、図８Ａ，８Ｂに示されたのと同様な構成である。他の実施例においては、このスイッチは図８Ｃに示されたのと同様な構成である。
【００８２】
ＷＤＭ信号２７０はスイッチＳ２Ａ1 の入力Ｓ２Ａ1IN1に導波路４０２を介して分配される。奇数番号のスイッチ内の波長フィルタリングデバイス１０７1 ，１０７3，…１０７N-1は、所定のスペクトラム成分を出力Ｓ２Ａ1OUT2，Ｓ２Ａ3OUT2，…Ｓ２ＡN-1OUT2 に向けて反射し、偶数番号のスイッチ内の波長フィルタリングデバイス１０７2，１０７4，…１０７N は、所定のスペクトラム成分を出力Ｓ２Ａ2OUT1，Ｓ２Ａ4OUT1，…Ｓ２ＡNOUT1 に向けて反射する。
【００８３】
スペクトラム成分は、例えばそれぞれのスイッチＳ２Ａ1 とＳ２Ａ4 内でスペクトラム成分２７０1 と２７０4 はドロップされる。このようにするためにこれらのスイッチは透過状態に置かれ、その結果これらのスペクトラム成分は、光学ディレクタ１０６1 と１０６4 をそれぞれ通過する。スペクトラム成分は、例えばそれぞれのスイッチＳ２Ａ1 とＳ２Ａ4 内のスペクトラム成分２７０N+1 と２７０N+4 のようなスペクトラム成分が追加される。このようしてＷＤＭ信号は複数のＮ個のスイッチの間を通過して必要によりスペクトラム成分をドロップしたり追加したりする。そしてＷＤＭ信号２７２が導波路４１０からでて次のネットワークノードに伝送される。
【００８４】
【発明の効果】
本発明のＷＳＡＤＭは、光学通信ネットワーク内に組み込んでＷＤＭ信号によりネットワーク内のさまざまなノードに搬送される情報の内容を変更することができる。
【図面の簡単な説明】
【図１】波長選択性追加ードロップの概念を表す図
【図２】Ａ  本発明と共に使用されるマイクロメカニカル駆動の（１×１）スイッチの第１実施例を表す図
Ｂ  本発明と共に使用されるマイクロメカニカル駆動の（１×１）スイッチの第２実施例を表す図
【図３】本発明により使用される（２×２）スイッチを表し、Ａが透過状態のスイッチの動作を表し、Ｂが反射状態のスイッチの動作を表す図
【図４】Ｎ個の（１×１）スイッチと２個の光学サーキュレータと２個の（１×Ｎ）ディマルチプレクサ／マルチプレクサを含む本発明の波長選択性追加ードロップマルチプレクサの第１実施例を表す図
【図５】Ｎ個の（２×２）スイッチと２個の（１×Ｎ）ディマルチプレクサ／マルチプレクサを含む本発明の波長選択性追加ードロップマルチプレクサの第２実施例を表す図
【図６】Ｎ個の（１×１）スイッチと２個の光学サーキュレータと１個の（２×２Ｎ）ディマルチプレクサ／マルチプレクサを含む本発明の波長選択性追加ードロップマルチプレクサの第３実施例を表す図
【図７】Ｎ個の（２×２）スイッチと１個の（２×２Ｎ）ディマルチプレクサ／マルチプレクサを含む本発明の波長選択性追加ードロップマルチプレクサの第４実施例を表す図
【図８】波長フィルタデバイスを組み込んだ（２×２）スイッチを表し、Ａが透過状態にあるスイッチの動作を表し、Ｂが反射状態にあるスイッチの動作を表し、Ｃが波長選択性フィルタデバイスがスペクトラム成分の大部分を透過し小部分反射する状態を表す図
【図９】図８Ａ、Ｂに示したスイッチと同様に構成された、光ファイバでリンクされたカスケード状態のＮ個の（２×２）スイッチを具備する波長選択性追加ードロップマルチプレクサの第５の実施例を表す図
【図１０】図８Ａ、Ｂに示したスイッチと同様に構成された、自由空間で通信されるカスケード状態に接続されたＮ個の（２×２）スイッチを具備する波長選択性追加ードロップマルチプレクサの第６の実施例を表す図
【符号の説明】
２  ＷＤＭ信号
４ａ，４ｂ  アクチュエータ
６ａ，６ｂ  リンク
８  反射デバイス
１０  ギャップ
１２，１４  導波路
１６  サポート部材
１８，１９  矢印
９０ａ  第１入力ファイバ
９０ｂ  第１出力ファイバ
９０ｃ  第２入力ファイバ
９０ｄ  第２出力ファイバ
９２，９４  光学信号
１０４  テレセントリック画像デバイス
１０６  光学ディレクタ
１０７  波長フィルタリングデバイス
１１０，１１２  レンズ
２０２，２０４，２０６，２０８，２０９，２１０，２１２  導波路
２２０，２３０  光学サーキュレータ
２２２，２２４，２２６，２３２，２３４，２３６  ポート
２４０，２５０  （１×Ｎ）導波路グレーティングルータ（ＷＧＲ）
２７０，２７１，２７２  ＷＤＭ信号
３４０  （２×２Ｎ）光学導波路グレーティングルータ（ＷＧＲ）
３４２，３４４  ポート
４０２，４０４，４０８，４１０  導波路
Ｓ１  スイッチ
Ｓ２  （２×２）スイッチ
【図１】
0003662754.tif 000002
【図２】
0003662754.tif 000003
【図３】
0003662754.tif 000004
【図４】
0003662754.tif 000005
【図５】
0003662754.tif 000006
【図６】
0003662754.tif 000007
【図７】
0003662754.tif 000008
【図８】
0003662754.tif 000009
【図９】
0003662754.tif 000010
【図１０】
0003662754.tif 000011